(57)【要約】【課題】モーター取付け板の剛性の強化及び本体運転時の静音化を図った空気調和機を提供する。【解決手段】室外ユニット１０の本体ベース５上に、吸込口８に対向して熱交換器２を、前板６に設けた吹出口９に対向して送風機７をそれぞれ配設し、前記送風機７が取付けられると共に、下端が本体ベース５上に固着されたモーター取付け板１を備え、モーター取付け板１の上端に、吹出口９側へ直角に折り曲げた第１の折り曲げ部１ａと、熱交換器２側へ直角に折り曲げた複数の第２の折り曲げ部１ｂを形成し、第１の折り曲げ部１ａの端部を前板６の上部に固着し、第２の折り曲げ部１ｂの少なくとも一つを熱交換器２の上部外面側に固定したもので、モーター取付け板１の剛性が強くなり、製品の運送時のモーター取付け板１の傾きや、運転時の振動やビビリ音の発生を防止することができる。【選択図】図１
2009250460.tif 000002
【特許請求の範囲】
【請求項１】
室外ユニットの本体ベース上に、吸込口に対向して熱交換器を、前板に設けた吹出口に対向して送風機をそれぞれ配設し、前記送風機が取付けられると共に、下端が前記本体ベース上に固着されたモーター取付け板を備え、前記モーター取付け板の上端に、吹出口側へ直角に折り曲げた第１の折り曲げ部と、前記熱交換器側へ直角に折り曲げた複数の第２の折り曲げ部を形成し、前記第１の折り曲げ部の端部を前記前板の上部に固着し、前記第２の折り曲げ部の少なくとも一つを前記熱交換器の上部外面側に固定したことを特徴とする空気調和機。
【請求項２】
第２の折り曲げ部の少なくとも一つを、熱交換器の内側に接触させるように配したことを特徴とする空気調和機。
【発明の詳細な説明】
【技術分野】
【０００１】
本発明は、空気調和機に関するもので、特に空気調和機の室外ユニットのモーター取付け板の構造に関するものである。
【背景技術】
【０００２】
従来のこの種の空気調和機の室外ユニットのモーター取付け板の構造としては、同モーター取付け板の上部取付板の切り起こしを、補強部材のスリット穴に挿通固定を行うものがあった（例えば、特許文献１参照）。
【０００３】
図５は、前記特許文献１に記載された従来の空気調和機のモーター取付け板の取付け構造を示す分解斜視図である。
【０００４】
図５において、ベース１８には、両側から背面にかけて、上端にフランジ１９ａを形成した外胴１９が取り付けられ、同フランジ１９ａには、スリット穴１９ｂが両側に設けられている。補強部材１２は、前記スリット穴１９ｂに対応する引掛爪１２ａを備え、同外胴１９に支持される。モーター取付台１１は、一対の支持枠１１ａに、モーター取付け板１１ｂを有し、下端部の取付足１１ｅのスリット穴１１ｇを、ベース１８上の切り起し１８ａに挿通するとともに、上部取付板１１ｆの下方への切り起し１１ｈを、補強部材１２に設けたスリット穴１２ｂに挿通固定するように構成されている。
【特許文献１】特開平８−１７８３６１号公報（図５）
【発明の開示】
【発明が解決しようとする課題】
【０００５】
しかしながら、上記従来の空気調和機の構成では、モーター取付台１１の上部取付板１１ｆの下方への切り起し１１ｈを補強部材１２のスリット穴１２ｂに挿通固定する構造になっているため、製品の運送時にモーター取付台１１の上部取付板１１ｆの下方への切り起し１１ｈが折れてしまうという課題があった。
【０００６】
また、モーター取付台１１と補強部材１２の固定方法が、スリット穴１２ｂに切り起し１１ｈを挿通固定だけであるため、剛性が弱く、本体運転時に、振動やビビリ音などが発生したり、部品点数が増えるという課題を有していた。
【０００７】
本発明は、このような従来の課題を解決するものであり、少ない部品点数で、モーター取付台の剛性を高め、輸送時のモーター取付台の傾きなどを防止すると共に、運転時に振動やビビリ音が発生することの無い空気調和機を提供することを目的とする。
【課題を解決するための手段】
【０００８】
前記従来の課題を解決するために、本発明の空気調和機は、室外ユニットの本体ベース上に、吸込口に対向して熱交換器を、前板に設けた吹出口に対向して送風機をそれぞれ配設し、前記送風機が取付けられると共に、下端が前記本体ベース上に固着されたモーター取付け板を備え、前記モーター取付け板の上端に、吹出口側へ直角に折り曲げた第１の折り曲げ部と、前記熱交換器側へ直角に折り曲げた複数の第２の折り曲げ部を形成し、前記第１の折り曲げ部の端部を前記前板の上部に固着し、前記第２の折り曲げ部の少なくとも一つを前記熱交換器の上部外面側に固定したもので、従来の空気調和機に用いられていた補強部材をモーター取付け板と一体にしたことにより、モーター取付け板の剛性が強くなり、製品の運送時にモーター取付け板が傾き、送風機と熱交換器の距離が不正規になり、本体の正常な運転ができなくなるという課題を解決し、さらに本体の運転時の振動やビビ
リ音の発生を防止することができると共に、部品点数を削減することができる。
【発明の効果】
【０００９】
本発明の空気調和機によれば、少ない部品点数で、モーター取付台の剛性を高め、輸送時のモーター取付台の傾きなどを防止すると共に、運転時に振動やビビリ音が発生することを防止することができる。
【発明を実施するための最良の形態】
【００１０】
第１の発明は、室外ユニットの本体ベース上に、吸込口に対向して熱交換器を、前板に設けた吹出口に対向して送風機をそれぞれ配設し、前記送風機が取付けられると共に、下端が前記本体ベース上に固着されたモーター取付け板を備え、前記モーター取付け板の上端に、吹出口側へ直角に折り曲げた第１の折り曲げ部と、前記熱交換器側へ直角に折り曲げた複数の第２の折り曲げ部を形成し、前記第１の折り曲げ部の端部を前記前板の上部に固着し、前記第２の折り曲げ部の少なくとも一つを前記熱交換器の上部外面側に固定したもので、従来の空気調和機に用いられていた補強部材をモーター取付け板と一体にしたことにより、モーター取付け板の剛性が強くなり、製品の運送時にモーター取付け板が傾き、送風機と熱交換器の距離が不正規になり、本体の正常な運転ができなくなるという課題を解決し、さらに本体の運転時の振動やビビリ音の発生を防止することができると共に、部品点数を削減することができる。
【００１１】
第２の発明は、特に、第１の発明の第２の折り曲げ部の少なくとも一つを、熱交換器の内側に接触させるように配したもので、熱交換器の倒れを確実に防止すると共に、熱交換器の固定を強固にすることができる。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における空気調和機の縦断面図で、図２は、同空気調和機の要部斜視図である。
【００１４】
図１および図２において、本実施の形態における空気調和機の室外ユニット１０は、本体ベース５と、ファン３とファン３を回転駆動するモーター４からなる送風機７と、本体ベース５上に吸込口８に対向して配設された熱交換器２と、送風機７のモーター４が取り付けられるモーター取付け板１と、前板６とを備えている。前板５には、吹出口９が開口しており、送風機７は、吹出口９に対向させるようにして本体ベース５上に配設されている。
【００１５】
モーター４を取り付けたモーター取付け板１の下端は、本体ベース５に固着され、モーター取付け板１の上端部の一方には、前記吹出口９側へ直角に折り曲げられかつ前記前板６の上部に固着される第１の折り曲げ部１ａが設けられ、上端部のもう一方には、前記熱交換器２を固定するように、前記熱交換器２の上部外面側に直角に折り曲げた複数の第２の折り曲げ部１ｂを設けている。
【００１６】
以上のように構成された本実施の形態における空気調和機について、以下その動作、作用を説明する。
【００１７】
モーター取付け板１の下端を本体ベース５に固着し、前記モーター取付け板１の上端部の一方に設けた第１の折り曲げ部１ａを前記前板６に固着し、上端部のもう一方に設けた第２の折り曲げ部１ｂで前記熱交換器２の上部外面側を固定したことにより、前記モータ
ー取付け板１の剛性が強くなり、モーター取付け板１の変形を防止することができ、更に、モーター取付け板１の変形による本体運転時の振動やビビリ音の発生を抑制することができる。さらに、従来の空気調和機における補強材が不要になり、部品点数の削減を図ることもできる。
【００１８】
（実施の形態２）
図３は、本発明の第２の実施の形態における空気調和機の縦断面図で、図４は、同空気調和機の要部斜視図である。尚、上記第１の実施の形態における空気調和機と同一部分には、同じ符号を用いて説明を省略する。
【００１９】
本実施の形態における空気調和機は、図３および図４に示すように、モーター取付け板１の上端部に複数個設けた熱交換器２側への第２の折り曲げ部１ｂの内の少なくとも一つの第２の折り曲げ部１ｂ’を、熱交換器２の内側に接触するように直角に折り曲げたものである。
【００２０】
以上のように、本実施の形態によれば、モーター取付け板１の上端部の熱交換器２側への第２の折り曲げ部１ｂおよび１ｂ’で、熱交換器２を外面と内面側から挟み込む構成になることにより、熱交換器２の倒れを防止し、ファン３と熱交換器１の距離を常に一定に保つことができる。
【産業上の利用可能性】
【００２１】
以上のように、本発明にかかる空気調和機は、モーター取付け板の剛性が高まり、モーター取付け板の変形による本体運転時の振動、ビビリ音の発生を抑制でき、さらに補強部材が不要となり部品点数の削減が図れるもので、各種空気調和機の用途に適用できる。
【図面の簡単な説明】
【００２２】
【図１】本発明の実施の形態１における空気調和機の縦断面図
【図２】同空気調和機の要部斜視図
【図３】本発明の実施の形態２における空気調和機の縦断面図
【図４】同空気調和機の要部斜視図
【図５】従来の空気調和機の分解斜視図
【符号の説明】
【００２３】
１  モーター取付け板
１ａ  第１の折り曲げ部
１ｂ、１ｂ’  第２の折り曲げ部
２  熱交換器
３  ファン
５  本体ベース
６  前板
７  送風機
８  吸込口
９  吹出口
１０  室外ユニット
【図１】
2009250460.tif 000003
【図２】
2009250460.tif 000004
【図３】
2009250460.tif 000005
【図４】
2009250460.tif 000006
【図５】
2009250460.tif 000007